(57)【要約】  本発明は、ネットワークを通じてユーザーアカウントの借方勘定額を記入し、支払請求を行うために使用される方法であって、中間のアカウントを設立すること、第１のユーザーから送られた第２のユーザーの借方記入額を中間アカウントに蓄えること、および、第１のユーザーからの支払いを受け取った確認メッセージを受け取ると前記支払請求の額を第２のユーザーのアカウントに振り替えることを備えたことを特徴とする。本発明は、借方勘定額と支払い請求額を記入するプロセスを容易にし、促進し、それによってアカウントに借方勘定額と支払い請求額を記入する効率を改善し、フルにネットワーク資源を利用し、大幅なアカウント借方勘定額と支払い請求額を記入する経費を減少させる。【特許請求の範囲】
【請求項１】
ネットワークを通じてユーザーアカウントの借方勘定額を記入し、支払請求を行うために使用される方法であって、
中間のアカウントを設立すること、
第１のユーザーから送られた第２のユーザーの借方記入額を中間アカウントに蓄えること、および、
第１のユーザーからの支払いを受け取った確認メッセージを受け取ると前記支払請求の額を第２のユーザーのアカウントに振り替えること
を備えたことを特徴とする方法。
【請求項２】
借方勘定額を記入し、支払請求を行う情報およびユーザー情報を提供するオンライン請求ストアを設立することをさらに備えたことを特徴とする請求項１に記載の方法。
【請求項３】
第１のユーザーが第２のユーザーの支払請求額を送る前に、第２のユーザーがオンライン請求ストアを通して借方勘定額を決定した後、第２のユーザーの身元を明らかにする情報を第１のユーザーに送ることを特徴とする請求項２に記載の方法。
【請求項４】
第１のユーザーにより送られた第２のユーザーの借方勘定額を受領すると、第２のユーザーに通知することをさらに備えたことを特徴とする請求項１に記載の方法。
【請求項５】
第２のユーザーが支払を行ったことを示す通知メッセージを受け取ることをさらに備えたことを特徴とする請求項４に記載の方法。
【請求項６】
第２のユーザーが支払ったことを示す通知メッセージを受領した後、確認のための期限を設定すること、および、
第１のユーザーの支払金受領の確認メッセージまたは取り消しメッセージが期限内に受け取られたかどうかを決定し、そうでなければ、第１のユーザーの支払金受領の確認メッセージが受領されたと推定すること
をさらに備えたことを特徴とする請求項５に記載の方法。
【請求項７】
最初のユーザーにより送金された支払請求額を受領後、支払いの期限を設定すること、および、
第２のユーザーの借方勘定額の確認メッセージまたは取り消しメッセージが期限内に受け取られたかどうかを決定し、そうでなければ、アカウントに借方勘定額を記入し、支払請求を行うプロセスを終了すること
をさらに備えたことを特徴とする請求項５に記載の方法。
【請求項８】
借方勘定額を記入し、支払請求を行うアカウントが、電子ビジネス用アカウントの額、通信用アカウントの額、またはユーザー・スコア・アカウントの額であることを特徴とする請求項１に記載の方法。
【請求項９】
ネットワークを通じてユーザーアカウントの借方勘定額を記入し、支払請求を行うために使用されるシステムであって、
中間のアカウントを設立し、第１のユーザーから送られた第２のユーザーの借方記入額を受領し保管することを含む、借方勘定額を記入し、支払請求を行う情報を受領し管理するアカウントモジュールと、
第１のユーザーからの支払いを受け取った確認メッセージを受け取ると前記支払請求の額を第２のユーザーのアカウントに振り替えることを含む、借方勘定額を記入し、支払請求を行うプロセスを管理する借方勘定額を記入し、支払請求を行うモジュールと
を備えたことを特徴とするシステム。
【請求項１０】
借方勘定額を記入し、支払請求を行うプロセスを管理する借方勘定額を記入し、支払請求を行うモジュールは、
第２のユーザーにより確認された請求額を記録すること、および、
そして第１のユーザーに通知し、第２のユーザーの支払請求をするアカウントの情報を提供すること
を含むことを特徴とする請求項９に記載のシステム。
【請求項１１】
第１のユーザーが支払請求を送る時、そして第１のユーザーが支払いの受領を確認する確認メッセージを送る時、身元を明らかにする情報を伝えるユーザー身元確認情報を保管するために使用されるユーザーモジュールをさらに備えたことを特徴とする請求項９また１０に記載のシステム。
【発明の詳細な説明】
【技術分野】
【０００１】
本発明はネットワークリソースデータ処理の分野、特にネットワーク上でアカウントに借方勘定額を記入し、支払請求を行うための方法およびシステムに関する。
【背景技術】
【０００２】
インターネットの継続的発展は社会のさまざまな状況に影響を与えた。各種の電子サービスの存在は、バーチャルリソースなどのバーチャル財産の交換という事態をもたらした。バーチャル財産取引を行なうために、従来の通貨を最初に必要とする。地理的な違いのゆえにもっとも初期のバーチャル財産取引は、買い手が売り手に従来の通貨を届けるために、買い手と売り手が同時に同じ場所に来て行われる。ゲームにおいて売り手はその次に買手にバーチャル通貨と機器を届ける。後には送金が主要な支払い方法になった。これらの両方法は、バーチャル財産取引を行なう場合、現金を支払い方法として使用する。しかしながら、支払いの便利さと取引の安全の両方に関して、これらの支払い方法はバーチャル財産取引の増加する必要性を満たすに至っていない。
【０００３】
それゆえ、インターネットはその発展を満足させるための特別な通貨を緊急に必要としており、それに応じてインターネットでのみ流通するが、本物の通貨に交換できるバーチャル通貨が作られた。バーチャル通貨もアカウントで保管される必要があるから、バーチャル通貨アカウントに借方記入を行い支払請求をすることについての問題は生ずる。
【０００４】
現在、SNDA、NetEase、Sina.com、Sohu.com、QQ.comなどの会社は、すべて自社のバーチャル通貨を導入した。そしてユーザーが自己のアカウントに借方勘定を記入するためにバーチャル通貨の一時的な購入を行い、そしてその後購入に対してバーチャル通貨を使用することを可能にしている。このことは物理的なカードの発行と使用の不便さと高いコストがかからず、そのようなことからオンライン製品及びサービスの取引販売促進となった。このような方法や若干の特許技術は電子サービスや情報リソースのオンライン取引における支払い問題をある程度解決することができ、電子的な取引を増やすことが可能であるが、従来の通貨とバーチャル通貨（例えば電子的なビジネスアカウントを変更するプロセス）は改善されておらず、未だに送金、または現金による方法を使用している。
【０００５】
図１に関して、非常に多量の現金と送金を処理する必要があり、必然的に多数の借方勘定に記入するユーザーが一つの処理プラットフォームに対応している場合、バーチャル通貨を提供している会社は異なる支払方法を使用した異なる借方勘定に記入するユーザーからの支払いメッセージを処理することができない。たとえ会社が処理することが可能であるとしても、労働力あるいはハードウェアとソフトウェアリソースの深刻な浪費である。全般的に見て、既存の電子商取引のアカウントに借方勘定を記入し、支払を請求するプロセスは高いコストを伴い非常に非能率的であって、効果的に現在のネットワークリソースとして使用していない。
【発明の開示】
【発明が解決しようとする課題】
【０００６】
既存の技術においては、電子商取引アカウントに借方勘定額を記入し、支払請求を行うプロセスの一部に、従来の通貨を最初に使用してオンライン銀行の電子通貨に両替し、そしてその次に交換に指定されたバーチャル通貨のために銀行の電子通貨を使用する。しかしながら、インターネット上の銀行業務の一般向けのものは、安全性が低いものであり、両替最高額が小さく、インターネット上の銀行業務の商業用のものは利用者側がデジタル証明書をインストールしなければならず、また複雑な起動とプロセス操作があり、さらに上記のような借方に記入し、また支払請求するプロセスの複雑な手順のゆえに、本方法は極少数のインターネットユーザーにより使用されているにすぎず、普及していない。
【０００７】
前述した現在の技術の限界は、借方勘定額を記入し、支払請求を行うプロセスに現金もしくは送金を同様に使用するオンラインゲーム、モバイル通信、固定電話通信のアカウントの借方に記入し、また支払を請求するプロセスにも存在している。全体の支払請求プロセスのごく一部のみがインターネット上で行なわれるから、借方に記入し、また支払請求をする手続は複雑で非能率的である。若干のオンラインゲームとモバイル通信の借方に記入し、また支払請求するプロセスのために、インターネット上の銀行業務がアカウントに貸し方に記入し、また支払を請求するために使用されるかもしれないのであるが、オンライン決済業務の安全性が低い、最高両替額が小さい、複雑な起動と操作手順、アカウントに支払を請求するプロセスの全体的な複雑さ等のファクターが深刻な妨げとなっている。
【課題を解決するための手段】
【０００８】
前述の諸問題に基づき、本発明は、インターネットリソースを十分に活用し、請求効率を上げる便利で高速のアカウントに借方勘定額を記入し、支払請求を行う方法とシステムを備えるための技術的諸問題を解決することを目的としている。
【０００９】
上記の技術的な問題を解決するために、本発明は次の技術的なスキームを使って実行される。
【００１０】
ネットワークを通じてユーザーアカウントに借方勘定額を記入し、支払請求を行うために使用される方法であり、それは中間のアカウントを設立すること、第１のユーザーから送られた第２のユーザーの借方記入額を中間アカウントに蓄えること、第１のユーザーからの支払いを受け取った確認メッセージを受け取ると前述の支払請求額を第２のユーザーのアカウントに振り替えることを含む。
【００１１】
望ましくは、アカウントに借方勘定額を記入し、支払請求を行う方法は、借方勘定額を記入し、支払請求を行う情報とユーザー情報を提供するオンライン請求ストアを設立することをさらに含む。
【００１２】
望ましくは、アカウントに借方勘定額を記入し、支払請求を行う方法には、２番目のユーザーがオンライン請求ストアを通して借方勘定額を決定した後、第１のユーザーに２番目のユーザーの身元が分かる情報を送ることをさらに含む。
【００１３】
望ましくは、アカウントに借方勘定額を記入し、支払請求を行う方法は、最初のユーザーにより送られた第２のユーザーの借方勘定額を受け取った時点で第２のユーザーに通知することをさらに含む。
【００１４】
望ましくは、アカウントに借方勘定額を記入し、支払請求を行う方法は、第２のユーザーが支払いをしたことを示している通知メッセージを受け取ることをさらに含む。
【００１５】
望ましくは、アカウントに借方勘定額を記入し、支払請求を行う方法は、さらに以下を含む。第２のユーザーが支払いを行ったことを示す通知メッセージを受け取った後での確認に所定の期限を設けること。最初のユーザーの支払い受領の確認メッセージまたは取り消しメッセージが期限内に受け取られたかどうかを決定し、そうでなければ、第１のユーザーの支払い受領の確認メッセージを前提とする。
【００１６】
望ましくは、アカウントに借方勘定額を記入し、支払請求を行う方法は、第１のユーザーにより送金された支払請求額を受領後、支払いの期限を設定し、第２のユーザーの借方勘定額の確認メッセージまたは取り消しメッセージが期限内に受け取られたかどうかを決定し、そうでなければ、アカウントに借方勘定額を記入し、支払請求を行うプロセスを終了する。
【００１７】
望ましくは、借方勘定額と支払い請求額は、電子業務用アカウントの額、通信用アカウントの額、またはユーザースコアの額である。すなわち、借方勘定額を記入されているユーザーアカウントは電子業務用アカウント、通信用アカウントの額、あるいはユーザースコアアカウントの額であり得る。
【００１８】
本発明はさらにネットワーク上のユーザーアカウントに借方勘定額と支払い請求額を記入するために使用されるアカウントに借方勘定額と支払い請求額を記入するシステムを備える。アカウントの借方勘定額を記入し、支払請求を行うシステムは、アカウントモジュールと借方勘定額を記入し、支払請求を行うモジュールを含む。アカウントモジュールは、中間のアカウントを設立し、第１のユーザーから送られた第２のユーザーの借方記入額を受領し保管することを含む、借方勘定額を記入し、支払請求を行う情報を受領し管理するために使用される。借方勘定額を記入し、支払請求を行うモジュールは、第１のユーザーからの支払いを受け取った確認メッセージを受け取ると前記支払請求の額を第２のユーザーのアカウントに振り替えることを含む、借方勘定額を記入し、支払請求を行うプロセスを管理するために使用される。
【００１９】
望ましくは、借方勘定額を記入し、支払請求を行うプロセスを管理する借方勘定額を記入し、支払請求を行うモジュールは、第２のユーザーによる借方勘定記入額の確認を記録して、第１のユーザーに通知し、第２のユーザーの借方勘定の情報を提供することを含む。
【００２０】
望ましくは、システムはさらにユーザーの身元が分かる情報を保管するために使用されたユーザーモジュールを含み、その情報は、第１のユーザーが支払請求額を送るとき、そして第１のユーザーが支払いの受領を確認して確認メッセージを送るとき伝えられる。
【発明の効果】
【００２１】
既存の技術と比較して、本発明には以下の利点がある。本発明は借方勘定額と支払い請求額を記入するプロセスを容易にし、また促進し、それによってアカウントに借方勘定額と支払い請求額を記入する効率を改善し、フルにネットワーク資源を利用し、大幅なアカウント借方勘定額と支払い請求額を記入する経費を減少させる。
【００２２】
本発明は、借方勘定額と支払い請求額を記入するプロセスを高速化し、さらに処理効率を高めるために借方勘定額と支払い請求額を記入するプロセスに同様に期限を設ける。
【００２３】
発明の中間アカウントは、アカウントに借方勘定額と支払い請求額を記入するプロセスの安全確保と一貫性を保証し、際立ってアカウントに借方勘定額と支払い請求額を記入する経費を減少させることができ、したがって、電子ビジネスとオンライン取引の障害の一つを取り除き、ネットワークの使用率を引き上げ、オンライン取引の速さ、便利さ、低費用の利点をフルに活用する。
【００２４】
本発明は、あまりにも少ないインターネット上の銀行業務ユーザーとインターネット上の銀行業務の一般向けのものの低い最高支払額を排除し、アカウントに借方勘定額と支払い請求額を記入することをユーザーにとって容易とし、インターネット上の銀行業務を有効にすることなくまた支払い最高額の限度なく一般大衆が自分のアカウントに支払請求をすることを可能にすることができる。
【００２５】
本システムはインターネット上の銀行業務を自動的に管理し、推進し、オンラインの銀行業務による支払いに精通しているユーザーに、現行のシステムを使用して、このようにインターネット上の銀行業務に精通していないユーザーがより便利にそして安全に自己のアカウントに借方勘定額と支払い請求額を記入することができる信頼できる借方勘定額と支払い請求額を記入する場を提供することができるようにする。
【発明を実施するための最良の形態】
【００２６】
本発明の基幹は、アカウントに借方勘定記入のユーザーが支払いを請求する売主のサービスを購入する場合、ネットワーク上に中間アカウントを確立し、両当事者のための安全確保を確かなものとする中間アカウントの第三者の媒介者クレジットを利用し、またアカウントに借方勘定額と支払い請求額を記入するプロセスの効率を高め、借方勘定額と支払い請求額を記入するプロセスを管理し促進するコンピュータシステムを使用してネットワークのリソースの利用を増大することにある。
【００２７】
以下に、図と例示的実施形態を使用して、さらに詳しく本発明を説明する。
【００２８】
図２は、本発明に従ったアカウントに借方勘定額と支払い請求額を記入する方法の業務遂行系統図を示す。
【００２９】
借方勘定額または支払い請求額を記入するために使用するアカウントは、電子的なビジネスアカウント、通信アカウント、ユーザースコアアカウント、あるいは他のいかなるタイプの利用額をあらかじめ入金するアカウントを含んでも良い。従来の通貨及びアカウントの借方勘定または支払請求額には、その間に等価もしくは非等価兌換のような如何なる兌換関係があっても良い。従来の通貨は現在流通している人民元やＵＳドルなどのような如何なる通貨でも含み得る。当然、本発明は借方勘定額と支払い請求額をアカウントに記入する方法は借方勘定に記入し、または支払請求をするために従来の通貨を使用することに限定されるものではなく、アカウントに借方勘定を記入し、または支払請求するプロセスを完了するために他のバーチャル通貨、もしくは電子通貨にも適している。なぜなら、従来の通貨とアカウントの借方勘定または支払請求額は、それらの間にどんなタイプの兌換関係があっても良く、本発明の借方勘定または支払請求システムは、借方勘定が記入され、または支払請求が行われるアカウントに管理上の権限を有することができる。すなわち、本発明は自己所有のアカウントに借方勘定額と支払い請求額を記入するために借方勘定に記入し、または支払請求をするプロセスにおいて使用することが可能である。
【００３０】
ステップＳ２１が中間アカウントを確立する。
【００３１】
中間アカウントが借方勘定額または支払請求額を記入するシステムにおいて確立されている。中間アカウントは借方勘定額または支払請求額を記入するシステムの管理下にある特別アカウントであり、そのアカウントに対して第１のユーザーと第２のユーザーは、いずれも独立した権限を持っていない。第１のユーザーは一般に支払いを請求する売主あるいは売り手（以下、支払いを請求する売主を説明のために使用する）であり、他方第２のユーザーは一般に借方勘定額を記入するユーザーあるいは買い手（以下に借方勘定額を記入するユーザーを説明のために使用する）である。中間アカウントは借方勘定または支払請求額を受け取り、一時的に保管するために使われる。借方に記入し、また支払請求するプロセスの間、支払いをした後、借方勘定額を記入するユーザーが借方勘定にしたものを得ることを保証するために借方勘定額または支払請求する額は、借方勘定額に記入されるユーザーの安全確保を保証するために、最初に中間アカウントに保管される。他方では、支払請求額は借方勘定額に記入するユーザーには直接支払われないで、どちらかと言えば、支払いを請求する売主が対応する支払が受領されたことを確認した後、借方勘定に記入するユーザーのアカウントに振り替える。両当事者の安全及び所有権はこのようにして借方に記入し、また支払請求するプロセスにおいて保証されている。
【００３２】
ステップＳ２１の前に、借方勘定額に記入し、または支払い請求額を記入する情報とユーザー情報を提供するための借方勘定額または支払請求を記入するシステムにおいて、オンラインにおいて借方勘定額を記入し、支払請求を行うストアを確立する。ユーザー識別を照合し、ユーザー情報を表示し、借方勘定に記入し、または支払い請求額を記入する情報を提供することなどを行うために、オンラインにおいて借方勘定額を記入し、支払請求を行うストアを使用することができる。
【００３３】
ステップＳ２２で、中間アカウントは支払いを請求する売主から送られた支払請求を受け取る。
【００３４】
支払いを請求する売主と借方勘定に記入するユーザーはそれらの間に対応する借方勘定額または支払請求額を決定する。借方勘定に記入するユーザーから借方勘定記入に必要なアカウント番号および借方勘定に記入する本人確認情報を知ってから支払いを請求する売主は中間のアカウントへ相当する支払請求を送る。本発明は、支払請求をする売り手及び借方勘定に記入する買い手に借方勘定に記入し、または支払請求をする額を決定し、借方勘定に記入する、または支払請求をするアカウント番号、本人確認情報を決定するために使用する特別な方法に限定するものではなく、両当事者が自身で通信し、或いは借方勘定に記入し、または支払請求をするシステムにより送られる通知を使用しても良い。
【００３５】
図２は、借方勘定に記入するユーザーが借方勘定記入額を決定の後、借方勘定額または支払請求額を記入するシステムが借方勘定に記入するユーザーの借方勘定記入アカウント情報を支払請求をする売り手に送るステップＳ２１０を例示する。借方に記入し、また支払請求するプロセスを最初から借方勘定額または支払請求額を記入する本システムで行えば、借方勘定額または支払請求額を記入するシステムをよりうまく借方に記入し、また支払請求するプロセスを管理することができる。
【００３６】
実際の借方に記入し、また支払請求するプロセスにおいて、ユーザーアカウント情報は保護必要情報であって、機密にしておかれることを望まれるゆえに、借方勘定額または支払請求額を記入するシステムは支払いを請求する売主には、システムの借方勘定に記入するユーザーに関する内部の本人確認情報を送る。中間アカウントと借方勘定に記入し、または支払請求をされているアカウントが同じシステムにより管理されるゆえに、支払いを請求する売主にシステムの借方勘定に記入するユーザーの内部の本人確認情報を告げるためにのみ必要なだけである。支払いを請求する売主はその次に支払請求額と本人確認情報を中間アカウントに送り、中間アカウントは、同様に身元が分かる情報を使って借方勘定または支払請求額に対応している借方勘定に記入するユーザーを特定する。これにより借方勘定を記入または支払請求するアカウント情報の安全確保が保証される。
【００３７】
ステップＳ２３で支払いを請求する売主が支払いを受け取ったことを確認する確認メッセージを受領する。
【００３８】
借方勘定額または支払請求額を記入するシステムの中間のアカウントは、支払いを請求する売主により送られた支払請求額を受け取り、支払いを請求する売主が対応する支払いを受け取ったことを確認する確認メッセージを待ち始める。
【００３９】
借方勘定額に記入し、または支払い請求額を記入することのさらなる管理を行い、向上させるために、借方勘定額または支払請求額を記入するシステムは、支払いを請求する売主から支払請求額を受け取ると、借方勘定に記入するユーザーに通知するメッセージを送り、借方勘定に記入するユーザーから返ってくるメッセージを待つ。支払いを請求する売主が支払請求額を送ったことを示しているメッセージを受け取ると、借方勘定に記入するユーザーは支払いをするか、あるいはネットワーク、銀行支店、送金、あるいは現金を使って等価物を届ける。
【００４０】
支払いをした後、借方勘定に記入するユーザーは、支払いをしたことについて支払いを請求する売主に通知し、支払いを請求する売主が支払いを照合するために、該当する情報を提供する。もちろん、借方勘定額または支払請求額を記入するシステムが借方勘定に記入するユーザーが支払いをした通知を受け取った後、借方勘定額または支払請求額を記入するシステムがその次に照合するべき支払いを請求する売主に通知するように、借方勘定に記入するユーザーはその代わりに借方勘定額または支払請求額を記入するシステムに通知することもできる。このことが借方勘定額または支払請求額を記入するシステムによる借方勘定額に記入し、または支払い請求額を記入する全体のプロセスの管理を更に確実にする。
【００４１】
ステップＳ２３では、借方勘定に記入するユーザーが支払いを行ったことを示す通知書メッセージを受け取った後、確認のためにさらに所定の期限を設けることができ、支払いを請求する売主が支払いを受け取ることについての確認メッセージあるいは取消メッセージが期限以内に受け取られたかどうかを確認する。確認のメッセージを期限内に受け取った場合、プロセスは次の段階に進む。借方勘定額に記入し、または支払い請求額を記入するプロセスが借方勘定に記入するユーザーそして／あるいは支払いを請求する売主により期日内に受諾されなかったことを示す取り消しメッセージを受け取った場合、システムは、直ちに借方勘定額に記入し、または支払い請求額を記入するプロセスを終了、あるいは両当事者に通知をし、両当事者の更なる交渉を待つ。メッセージを受け取らない場合、借方勘定に記入するユーザーの利息の発生を防止するために、支払いを請求する売主は借方勘定に記入するユーザーにより行われた支払を受け取る。このステップは支払いを請求する売主が長い間確認メッセージを送ることを怠る予期せぬ状況を防ぐために使用される。設定期限を使用することにより、システムは借方に記入し、また支払請求するプロセスの進捗をよりうまく管理し、借方勘定額に記入し、または支払い請求額を記入するプロセスにおける両当事者の安全確保を保証することができる。
【００４２】
もちろん、システムは期限を設定することをしないですますこともできるが、支払いを請求する売主が支払いを受け取ったことを確認するための確認メッセージを待つ方が良い。上記の望ましいステップは、借方に記入し、また支払請求するプロセス上の借方勘定額または支払請求額を記入するシステムの管理を更に確実にするためのみに使用される。
【００４３】
ステップＳ２３において、支払いを請求する売主により送られた支払請求額を受け取った後の支払のための期限の設定を行う。そして、借方に記入するユーザーの支払実施の確認メッセージもしくは取り消しメッセージの確認を行い、そうでなければ、借方に記入し、また支払請求するプロセスを終了させる。本ステップは、支払を行った通知を送る借方に記入するユーザーに借方勘定額または支払請求額を記入するシステムが求める基本的なステップの更なる改良点である。すなわち、支払いを請求する売主により送られた支払請求額を受け取った後、システムは支払いのために所定の期限を設け、借方勘定に記入するユーザーが支払いを期限内に行うこと、そして借方に記入し、また支払請求するプロセスを速めるために支払いをした通知を送ることを促す。借方勘定に記入するユーザー支払を行った通知を支払の期限内に受け取った場合、借方に記入し、また支払請求するプロセスは次のステップに進む。期限内にメッセージを受け取らなければ、借方勘定額に記入し、または支払い請求額を記入するプロセスを続ける事は困難であることを示し、リソースの浪費を減少させ、借方勘定額に記入し、または支払い請求額を記入するプロセスのリソース利用効率を上げるために借方勘定額に記入し、または支払い請求額を記入するプロセスを終了する。
【００４４】
ステップＳ２４において、中間アカウントに保管されており、支払いを請求する売主により送られる支払請求額を借方勘定に記入するユーザーのアカウントへ振り替える。
【００４５】
売主の利用する支払サービス提供者の支払を受け取ったことを確認する確認メッセージを受領する、或いは売主の利用する支払サービス提供者の支払を受け取ったことを確認する確認メッセージが受け取られたと結論するにあたり、借方勘定額または支払請求額を記入するシステムは中間アカウントに保管され、借方勘定に記入するユーザーのアカウントに支払請求をする売主から送られる支払請求を振り替え、それによってすべてのアカウントの借方勘定額に記入し、または支払い請求額を記入するプロセスを完了する。
【００４６】
本発明は相互のコメント・データと両当事者の評価を受け、また保管する。さらに、借方勘定額または支払請求額を記入するシステムがプロセスを借方勘定に記入し、または支払請求をするプロセス全体を管理し、進展させるから、本発明は両当事者に関するシステム自体のコメントと評価を発生させることができる。例えば、借方勘定額または支払請求額を記入するシステムは、借方に記入し、また支払請求するプロセスにおいて、期限を上回り、義務を守ることを怠る当事者には、否定的なコメントを提供することもある。このようなコメントは、借方勘定額または支払請求額を記入するシステムの資金アカウントへの十分な額を預けることを怠り、規定の期限内に製品配達の確認を受け取らないなどの問題をカバーする。
【００４７】
支払請求を受けているアカウントと中間アカウントは、同じ借方勘定に記入し、または支払請求をするシステムに存在することができる。すなわち、本発明は自分の所有しているアカウントに借方勘定とする売主の利用する支払サービスを備えるために利用することができる。もちろん本発明は、独立仲介システムの役を行って、同時にアカウントの借方勘定に記入し、または支払請求をするサービスを他のシステムにより管理されている多数のアカウントに提供することもできる。
【００４８】
図３は、借方勘定に記入するユーザーが借方勘定に記入するユーザーのアカウントにオンラインにおいて借方勘定額を記入し、支払請求を行うストアを通じて借方勘定額を記入し、売主の利用する支払サービス提供者の支払サービスを購入するプロセスを例示している、本発明に従ったアカウント借方勘定額と支払い請求額をアカウントに記入する方法の例示的実施形態の業務遂行系統図を示す。
【００４９】
ステップ３１で、借方勘定に記入するユーザーは売主の利用する支払サービス提供者のオンラインで借方勘定額を記入し、支払請求を行うストアにおいて対応する借方勘定額に記入する額（額面価格）を決定する。処理金額を決定すれば、両当事者は、借方に記入し、また支払請求するプロセスを始める借方勘定額または支払請求額を記入するシステムにログオンする。借方勘定額または支払請求額を記入するシステムは両当事者の身元照合を必要とする。
【００５０】
ステップ３２で、借方勘定額または支払請求額を記入するシステムは売主の利用する支払サービス提供者に通知して、そして借方勘定額または支払請求額を記入するシステムの内部を識別している情報あるいは借方勘定に記入するユーザーの名前を提供する。通知書は郵便での取引の警告あるいは警告を届けるインスタントメッセージ送信などを使って達成することができる。
【００５１】
ステップ３３で、売主の利用する支払サービス提供者は当該支払請求額を借方勘定額または支払請求額を記入するシステムにより提供される中間アカウントに送る。中間アカウントは借方勘定額または支払請求額を記入するシステムにより管理される特別アカウントである。売主の利用する支払サービス提供者と借方勘定に記入するユーザーは中間アカウント上に独立した権限を持っていない。
【００５２】
ステップ３４では、借方勘定額または支払請求額を記入するシステムは借方勘定に記入するユーザーに支払請求を受け取ったということを知らせ、そして現在、借方勘定に記入するユーザーが売主の利用する支払サービス提供者に支払いを完了するのを待っている。本通知書は郵便での取引の警告あるいは警告を届けるインスタントメッセージ送信などを使って達成することができる。
【００５３】
ステップ３５で、借方勘定に記入するユーザーは、売主の利用する支払サービス提供者が受容できる方法であれば、それを使って売主の利用する支払サービス提供者に支払いをする。借方勘定に記入するユーザーは売主の利用する支払サービス提供者により指定された銀行口座に銀行支店で送金し、郵便局で送金し、オンラインの借方勘定額を記入し、そしてまた支払請求を行うストアにより告げられた銀行口座に送金することができ、そしてまた同じ都市にあるオンラインにおいて借方勘定額を記入し、支払請求を行うストアで預金し、または支払請求プロセスを完了するために自ら現金を支払い、そして異なる場所への送金する費用を節約することができる。
【００５４】
ステップ３６において、借方勘定に記入するユーザーは借方勘定額または支払請求額を記入するシステムに支払いが売主の利用する支払サービス提供者に送られたということを知らせ、売主の利用する支払サービス提供者による確認のために支払額、送金銀行、送金期日、送金を受ける銀行口座番号等の支払情報を提供する。
【００５５】
ステップ３７で、借方勘定額または支払請求額を記入するシステムは売主の利用する支払サービス提供者に借方勘定に記入するユーザーが支払いを送ったということを知らせる。通知書は郵便での取引の警告あるいは警告を届けるインスタントメッセージ送信などを使って達成することができる。
【００５６】
ステップ３８で、売主の利用する支払サービス提供者はネット銀行あるいは他の場を通して借方勘定に記入するユーザーの支払いを照合する。売主の利用する支払サービス提供者は照合するために、それ自身のネット銀行にログオンし、そしてもし問題があるなら、借方勘定に記入するユーザーについて照合するためにインスタントメッセージ送信のようなツールを使うことができる。通常、売主の利用する支払サービス提供者は開設したネット銀行アカウントを持っており、インターネット上の銀行業務手順に精通しているので、確認のために、ネット銀行に迅速にログオンすることができる。
【００５７】
ステップ３９で、売主の利用する支払サービス提供者は借方勘定に記入するユーザーによる支払いが受け取られたことを確認するために借方勘定額または支払請求額を記入するシステムに確認を送る。売主の利用する支払サービス提供者が支払いを照合した後、借方勘定額または支払請求額を記入するシステムにログオンし、支払が受領されたことを通知し、借方勘定に記入するユーザーアカウントへの借方勘定に記入することに同意する。
【００５８】
ステップ３１０で、借方勘定額または支払請求額を記入するシステムは借方勘定に記入するユーザーのアカウントに支払請求をする。中間アカウントにおいて、当該支払請求をするアカウントは、支払請求プロセスを完了するために借方勘定に記入するユーザーのアカウントに振り替えられる。
【００５９】
図４は、以下の要素を含む本発明に従ったアカウントに借方勘定額と支払い請求額を記入する方法の概略図である。
【００６０】
ユーザーモジュール４１は、主にユーザーを識別するための、電子メール、連絡情報、ＩＤ情報、パスコードなどのユーザー識別情報を保管しておくために使用される。
【００６１】
アカウントモジュール４２たとえば、（第１のユーザーから受領し、中間アカウントに保管された第２のユーザーの借方勘定記入額等の）借方勘定記入額とヒストリ情報などの支払請求を受けているアカウント間の対応する関係を含み、中間アカウントを設立し、借方勘定記入額情報を管理するために使用される。
【００６２】
借方勘定額を記入し、または支払い請求額を記入するモジュール４３は、第１のユーザーが支払を受け取ったことを確認する確認メッセージを受け取ると、第２のユーザーの借方記入アカウントに中間アカウントに保管した請求額を振り替えることを含み、アカウントに借方勘定を記入し、または支払請求するプロセスを管理するために使用される。借方勘定額を記入し、または支払い請求額を記入するプロセス管理には、借方勘定額を記入し、または支払い請求額を記入する期日、借方勘定額を記入し、または支払い請求額を記入する種類、借方勘定額を記入し、または支払い請求額を記入する額、ユーザー情報、及び借方勘定額に記入し、または支払い請求額を記入する進行状況と条件等の借方勘定額を記入し、または支払い請求額を記入することに関連したユーザー情報を保管すること含む。
【００６３】
借方勘定額を記入し、または支払い請求額を記入するプロセスの管理は更に、第２のユーザーにより確認される請求額を記録すること、第１のユーザーに通知し、そして第２のユーザーの借方記入アカウント情報を備えることを含む。すなわち、借方勘定額を記入し、または支払い請求額を記入するモジュール４３は、可能な限り早く支払請求手続を入力し、第２のユーザーの借方勘定記入アカウント情報を第１のユーザーに提供する。
【００６４】
第１のユーザーが支払い請求額を送るとき第２のユーザーの身元が分かる情報が伝えられる。アカウントモジュール４２はユーザーモジュール４１に伝えられた識別情報に相当する第２のユーザーについて問い合わせる。同様に、対応する第２のユーザーを認識し、第１のユーザーが支払を受領することを確認する確認メッセージを送る時、第２のユーザーの身元が分かる情報も伝えられる。
【００６５】
当然、借方勘定額または支払請求額を記入するシステムは、オンラインで借方勘定に記入し、または支払請求を行うストア、顧客管理モジュール、そして／またはマーケッティングなどの機能を備えるために使用される補助モジュール４４にすべて帰属する顧客管理モジュール、オンラインで借方勘定に記入し、または支払請求を行うストアのモジュール、マーケティングモジュール等のある特定の補助要素を更に含む。
【００６６】
上記のものは、本発明によって定めるようにアカウントに借方勘定に記入し、または支払請求をするための方法とシステムを詳しく説明したものである。本文書は、本発明の原理と実施手段を例示するために例示的実施形態を使用している。上記例示的諸実施形態は、単に本発明の方法と基本概念の理解を助ける目的のためのものであることが理解される。上記に述べた理由により、本説明は本発明に限定されるものではない。
【図面の簡単な説明】
【００６７】
【図１】アカウントに借方勘定額と支払い請求額を記入するために大量の現金または送金を処理する既存のテクノロジーを例示する図である。
【図２】本発明に従ったアカウントに借方勘定額と支払い請求額を記入する方法の業務遂行系統を示す図である。
【図３】本発明に従ったアカウントに借方勘定額と支払い請求額を記入する方法の例示的実施形態を示す図である。
【図４】本発明に従ったアカウントに借方勘定額と支払い請求額を記入する方法の概略図である。
【図１】
2009528602.tif 000002
【図２】
2009528602.tif 000003
【図３】
2009528602.tif 000004
【図４】
2009528602.tif 000005